(57)【要約】      （修正有）【課題】印刷シールにより、用途や遊び方に変更があってもシールを変更するのみで、色々なゲーム器として使用できると共に、表裏の両面でゲームをすることのできる振り出しカード型ゲーム器を提供する。【解決手段】蓋とカード本体からなる薄型カード箱体内に、複数個の表示体を設けると共に、表面及び／または裏面に表示窓を形成した印刷シールを設けてなる。また、蓋及び／またはカード本体が、透明であること。さらに、表示体が、各種色を、数字、四則、アルファベット、両面使用可能に表示してなることを特徴とする。【選択図】図１
0003159394.tif 000002
【実用新案登録請求の範囲】
【請求項１】
蓋とカード本体からなる薄型カード箱体内に、複数個の表示体を設けると共に、表面及び／または裏面に表示窓を形成した印刷シールを設けてなることを特徴とする振り出しカード型ゲーム器。
【請求項２】
蓋及び／またはカード本体が、透明であることを特徴とする請求項１記載の振り出しカード型ゲーム器。
【請求項３】
表示体が、各種色を表示してなることを特徴とする請求項１又は２記載の振り出しカード型ゲーム器。
【請求項４】
表示体が、数字を表示してなることを特徴とする請求項１、２又は３記載の振り出しカード型ゲーム器。
【請求項５】
表示体が、四則を表示してなることを特徴とする請求項１、２、３又は４記載の振り出しカード型ゲーム器。
【請求項６】
表示体が、アルファベットを表示してなることを特徴とする請求項１、２又は３記載の振り出しカード型ゲーム器。
【請求項７】
表示体が、両面使用可能に表示してなることを特徴とする請求項１、２、３、４、５又は６記載の振り出しカード型ゲーム器。
【考案の詳細な説明】
【技術分野】
【０００１】  本考案は、ポケットの中に入れて持ち運びができ、色々なゲームや学習ができる振り出しカード型ゲーム器に関するものである。
【背景技術】
【０００２】  従来の技術としては、少なくとも１箇所に表示窓を設けた薄型箱体内に、複数個の表示体を移動可能に内設してなることを特徴とする振り出しゲーム器がある。（特許文献１参照）
【先行技術文献】
【特許文献１】  特開２０００−３４２８４２号公報
【考案の概要】
【考案が解決しようとする課題】
【０００３】  上記従来技術は、ゲームとして基本的な遊び方は面白いが、蓋に直接表示窓２ｂを設けているため、遊び方法が変わったり、用途が変わった場合など、蓋を変更しないと使用できません。
又、表及び裏の両面をゲームとして使用することができない。【０００４】  本考案は、上記のような問題点に鑑みなされたもので、印刷シールにより、用途や遊び方に変更があってもシールを変更するのみで、色々なゲーム器として使用できる共に、蓋及びカード本体を透明にすることにより表裏の両面でゲームをすることのできる振り出しカード型ゲーム器を提供することを目的とする。
【課題を解決するための手段】
【０００５】本考案は、上記問題点を解決するため、蓋とカード本体からなる薄型カード箱体内に、複数個の表示体を設けると共に、表面及び１または裏面に表示窓を形成した印刷シールを設けてなること。また、蓋及び１またはカード本体が、透明であること。さらに、表示体が、各種色を、数字、四則、アルファベット、両面使用可能に表示してなることを特徴とする。
【考案の効果】
【０００６】１）、表示窓を形成した印刷シールを設けることにより、用途や遊び方に変更があっても印刷シールを変更するのみで、色々なゲーム器として使用できる。
２）、蓋及び／またはカード本体を透明にすることにより、両面でゲームができる。
３）、表示体に色を付けることにより、色別のゲームができる。
４）、表示体に数字を表示することにより、色々なゲームができる。
５）、表示体に、四則（＋−×÷）を表示することにより計算ゲームができる。
【図面の簡単な説明】
【０００７】
【図１】  本考案の第１実施例を示す振り出しカード型ゲーム器の構成図。
【図２】  本考案の第１実施例を示す振り出しカード型ゲーム器の底面図。
【図３】  本考案の第１実施例を示す振り出しカード型ゲーム器の表示体の平面図。
【図４】  本考案の第１実施例を示す振り出しカード型ゲーム器の表示体の底面図。
【図５】  本考案の第２実施例を示す振り出しカード型ゲーム器の表示体の平面図。
【図６】  本考案の第３実施例を示す振り出しカード型ゲーム器の表示体の平面図。
【図７】  本考案の第４実施例を示す振り出しカード型ゲーム器の印刷シールの平面図。
【図８】  本考案の第５実施例を示す振り出しカード型ゲーム器の印刷シールの平面図。
【図９】  本考案の第６実施例を示す振り出しカード型ゲーム器の印刷シールの平面図。
【考案の実施するための形態】
【０００８】  １は、振り出しカード型ゲーム器である。
２は、蓋３とカード本体５からなる薄型カード箱体である。
蓋３は、透明な素材（例えば、ポリカーポネート等）を使用し、平板状に形成し、下面４箇所にピン３ａを突設してある。
４は、上記蓋３の表面に貼り付けてなる印刷シールで、例えば、試算ゲームを行うのであれば、計算ゲーム及びそのルールを表現してなると共に、４偶の１箇に後述する表示体を表示する表示窓４ａを形成してある。
カード本体５は、上記蓋３と同様に透明な素材を使用し、箱状に形成し、上面に、上記ピン３ａに対応する穴５ａ−−を穿設してなる。
６は、上記カード本体５の底面に貼り付けてなる印刷シールで、上記印刷シール４の表示窓４ａと同一位置に表示窓６ａを形成してある。
７は、上記薄型カード箱体２内に設けてなる複数個の円盤状の表示体で、表面に例えば０〜９の数字を表示すると共に、裏面には＋−×÷の四則を表示してあり、＋を３個・−を３個・×を２個・÷を２個としている。
【０００９】  上記振り出しカード型ゲーム器１の使用例について下記に述べる。
振り出しカード型ゲーム器１を持ち、複数回（５〜１０回位）振り、表示窓３ａ・６ａに、各表示体７の中から１つを表示させる。
例えば、表示窓３ａから表示体７（数字３）が見え、その裏の表示窓６ａからは、−（マイナス）が表示される。
振り出しカード型ゲーム器１を振ると、例えば表示窓３ａから表示体７（数字５）が見え、その裏の表示窓６ａからは＋（プラス）が見えたことになる。
この時、３−５＋が見えたことになる。
つまり、この時点で計算するのであれば３−５で−２が答となる。
さらに、振り出しカード型ゲーム器１を振ることにより、自分のレベルにあった計算問題ができ、遊びながら計算を楽しむことができる。
【００１０】  つぎに、第２実施例の振り出しカード型ゲーム器の表示体について説明する。
この表示体２７は、各種色を表示してなるもので、例えば赤色・緑色・青色・オレンジ色・黒色・白色等、自由に設定すればよい。
【００１１】  つづいて、第３実施例の振り出しカード型ゲーム器の表示体について説明する。
この表示体３７は、Ａ〜Ｚまでを各々表示してなるものである。
【００１２】  さらに、第４実施例の振り出しカード型ゲーム器の印刷シールについて説明する。
印刷シール４４は、「今日は何食べる」を表示してなるもので、上記表示体７・２７・３７を使用し、ルールを決め、今日、何を食べるかをまよった時に振って決めるものである。
【００１３】  さらに又、第５実施例の振り出しカード型ゲーム器の印刷シールについて説明する。
印刷シール５４は、野球ゲームを行うもので、上記と同様上記表示体７・２７・３７を使用し、ルールを決め、野球ゲームを行うものである。
【００１４】  最後に、第６実施例の振り出しカード型ゲーム器の印刷シールについて説明する。
印刷シール６４は、「英単語を覚えよう」を表示してなるもので、表示窓６４ａ及び表示窓６４ａ１を形成してなるもので、例えば、上記表示体３７を使用し、例えば振り出しカード型ゲーム器が表示窓６４ａより、表示された場合、振り出しカード型ゲーム器から始まる単語を参加者が順番に発表するゲームとして使用できる。
また、表示窓６４ａ１を使用し、▲Ｗ▼と▲Ａ▼が出た場合、ＷＡに続く単語を発表するゲームとしても使用できる。
【００１５】  上記各実施例において、材質や大きさ等は、特に限定するものではない。
また、表示体においても、上記以外にも色々考えられる。
【符号の説明】
【００１６】  １−−−振り出しカード型ゲーム器
２−−−薄型カード箱体
３−−−蓋
４−−−印刷シール
５−−−カード本体
６−−−印刷シール
７−−−表示体
【図１】
0003159394.tif 000003
【図２】
0003159394.tif 000004
【図３】
0003159394.tif 000005
【図４】
0003159394.tif 000006
【図５】
0003159394.tif 000007
【図６】
0003159394.tif 000008
【図７】
0003159394.tif 000009
【図８】
0003159394.tif 000010
【図９】
0003159394.tif 000011